(57)【要約】【課題】本発明は、レジスタンス測定回路を提供する。【解決手段】本発明のレジスタンス測定回路は、アンプリファイア、トランジスター、可変レジスター、固定レジスター、第一レジスター及び第二レジスターを備え、前記可変レジスターの一端は接地し、前記可変レジスターの他端は、前記第一レジスターによって直流電源に接続され、前記アンプリファイアの非反転入力端は、前記可変レジスターと前記第一レジスターとの間のノードに接続され、前記アンプリファイアの出力端は、前記第二レジスターによって前記トランジスターのベースに接続され、前記トランジスターのコレクタは、前記直流電源に接続され、前記トランジスターのエミッタは、レジスタンスを測定しようとするレジスターの一端に接続され、前記アンプリファイアの反転入力端は、前記固定レジスターによって接地し且つレジスタンスを測定しようとする前記レジスターの他端に接続される。【選択図】図１
2013040930.tif 000002
【特許請求の範囲】
【請求項１】
アンプリファイア、トランジスター、可変レジスター、固定レジスター、第一レジスター及び第二レジスターを備えてなるレジスタンス測定回路であって、
前記可変レジスターの一端は接地し、前記可変レジスターの他端は、前記第一レジスターによって直流電源に接続され、前記アンプリファイアの非反転入力端は、前記可変レジスターと前記第一レジスターとの間のノードに接続され、前記アンプリファイアの出力端は、前記第二レジスターによって前記トランジスターのベースに接続され、前記トランジスターのコレクタは、前記直流電源に接続され、前記トランジスターのエミッタは、レジスタンスを測定しようとするレジスターの一端に接続され、前記アンプリファイアの反転入力端は、前記固定レジスターによって接地し且つレジスタンスを測定しようとする前記レジスターの他端に接続されることを特徴とするレジスタンス測定回路。
【請求項２】
前記レジスタンス測定回路は、第三レジスターをさらに備え、前記固定レジスターは、前記第三レジスターによって接地することを特徴とする請求項１に記載のレジスタンス測定回路。
【請求項３】
前記レジスタンス測定回路は、ヒューズをさらに備え、前記ヒューズの一端は、前記トランジスターのコレクタに接続され、前記ヒューズの他端は、前記直流電源に接続されることを特徴とする請求項１に記載のレジスタンス測定回路。
【発明の詳細な説明】
【技術分野】
【０００１】
本発明は、レジスタンス測定回路に関するものである。
【背景技術】
【０００２】
マルチメーターでレジスターのミリオーム範囲の小さなレジスタンスを正確に測定することができないので、一般的に値段が高いブリッジ又は専門器具を買って測定することを必要とする。
【発明の概要】
【発明が解決しようとする課題】
【０００３】
本発明の目的は、前記課題を解決し、レジスターの小さなレジスタンスを正確に測定することができるレジスタンス測定回路を提供することである。
【課題を解決するための手段】
【０００４】
本発明に係るレジスタンス測定回路は、アンプリファイア（ａｍｐｌｉｆｉｅｒ）、トランジスター、可変レジスター、固定レジスター、第一レジスター及び第二レジスターを備え、前記可変レジスターの一端は接地し、前記可変レジスターの他端は、前記第一レジスターによって直流電源に接続され、前記アンプリファイアの非反転入力端は、前記可変レジスターと前記第一レジスターとの間のノードに接続され、前記アンプリファイアの出力端は、前記第二レジスターによって前記トランジスターのベースに接続され、前記トランジスターのコレクタは、前記直流電源に接続され、前記トランジスターのエミッタは、レジスタンスを測定しようとするレジスターの一端に接続され、前記アンプリファイアの反転入力端は、前記固定レジスターによって接地し且つレジスタンスを測定しようとする前記レジスターの他端に接続される。
【発明の効果】
【０００５】
本発明のレジスタンス測定回路は、直列に接続される固定レジスター及び測定しようとするレジスターの電圧を別々に測定してから、さらに電流値を換算し、最終に測定しようとするレジスターの小さなレジスタンスを正確に測定することができる。
【図面の簡単な説明】
【０００６】
【図１】本発明の実施形態に係るレジスタンス測定回路の回路図である。
【発明を実施するための形態】
【０００７】
以下、図面を参照して、本発明の実施形態について説明する。
【０００８】
図１を参照すると、本発明のレジスタンス測定回路１００は、レジスターＲＸのレジスタンスを測定するために用いられ、アンプリファイアＵ１と、トランジスターＱ１と、可変レジスターＲ１と、固定レジスターＲＳと、ヒューズＦ１と、レジスターＲ２〜Ｒ４と、を備える。
【０００９】
前記可変レジスターＲ１の一端は、前記レジスターＲ２によって直流電源ＶＣＣに接続され、前記前記可変レジスターＲ１の他端は接地する。前記アンプリファイアＵ１の非反転入力端（＋）は、前記可変レジスターＲ１と前記レジスターＲ２との間のノードＰに接続され、前記アンプリファイアＵ１の出力端は、前記レジスターＲ３によって前記トランジスターＱ１のベースに接続される。前記トランジスターＱ１のコレクタは、前記ヒューズＦ１によって前記直流電源ＶＣＣに接続され、前記トランジスターＱ１のエミッタは、直列に接続される前記レジスターＲＸ、前記固定レジスターＲＳ及び前記レジスターＲ４によって接地する。前記レジスターＲＸと前記固定レジスターＲＳとの間のノードＭは、前記アンプリファイアＵ１の反転入力端（−）に接続される。
【００１０】
以下、本発明の実施形態に係るレジスタンス測定回路の作動原理に対して説明する。
【００１１】
前記固定レジスターＲＳは、固定なレジスタンスを有する（１Ω、２Ωなどである）レジスターである。先ず、マルチメーターで前記固定レジスターＲＳ両端の電圧値Ｕｓを測定し、公式Ｉ＝Ｕ/Ｒによって、前記固定レジスターＲＳを流れる電流値Ｉｓを計算し、前記電流値Ｉｓは、前記トランジスターＱ１のエミッタの電流値であり、即ち前記レジスターＲＸを流れる電流値であり、次に、マルチメーターで前記レジスターＲＸ両端の電圧値Ｕｘを測定し、最後に、公式ＲＸ＝Ｕｘ/Ｉｓによって、前記レジスターＲＸのレジスタンスを計算する。  
【００１２】
前記可変レジスターＲ１のレジスタンスを調節することにより、前記アンプリファイアＵ１の非反転入力端の電圧を調節して、さらに前記トランジスターＱ１のエミッタの電流を調節し、前記アンプリファイアＵ１及び前記トランジスターＱ１は、全て電流を増幅する作用を発揮する。前記トランジスターＱ１のエミッタの電流が比較的に大きい値に調節されると、前記固定レジスターＲＳ両端の電圧値Ｕｓも増幅されて、マルチメーターで前記電圧値Ｕｓを正確に測定することができ、前記固定レジスターＲＳ両端の電圧が低過ぎて測定精確度が低い現象を免れる。
【００１３】
前記ヒューズＦ１を前記直流電源ＶＣＣと前記トランジスターＱ１のコレクタの間に設置して、前記トランジスターＱ１のコレクタを流れる電流が大き過ぎると、前記ヒューズＦ１が溶断されて、前記トランジスターＱ１を保護する。
【００１４】
前記レジスタンス測定回路１００は、前記可変レジスターＲ１によって前記アンプリファイアＵ１の非反転入力端の電圧を調節することにより、前記トランジスターＱ１のエミッタの電流を増幅し、即ち前記レジスターＲＸ及び前記固定レジスターＲＳを流れる電流を増幅し、マルチメーターで前記レジスターＲＸ両端の電圧及び前記固定レジスターＲＳ両端の電圧を別々に測定してから、公式Ｒ＝Ｕ/Ｉによって、前記レジスターＲＸのレジスタンスを計算することができ、従ってマルチメーターでレジスターの小さなレジスタンスを正確に測定することができない問題を解決する。
【００１５】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１６】
１００  レジスタンス測定回路
Ｒ１  可変レジスター
Ｒ２、Ｒ３、Ｒ４、ＲＸ  レジスター
ＲＳ  固定レジスター
Ｆ１  ヒューズ
Ｑ１  トランジスター
Ｕ１  アンプリファイア
ＶＣＣ  直流電源
【図１】
2013040930.tif 000003